(57)【要約】【課題】装飾部材を取り付けても筐体全体の強度が低下しない携帯端末の取付部材嵌合構造及び携帯端末を提供する。【解決手段】第１筐体１０１の幅方向における端部付近において、装飾部材５の爪部５１がリアケース７の係止部７１と噛み合い、フロントケース６の係止部６１が爪部５１の逃げを防止することにより、第１筐体１０１の厚さ方向への装飾部材５の抜けを防止することができるとともに、突出部５２が係止部６１に係合されることにより、装飾部材５の抜け及び回転を防止することができる。これに加えて、第１筐体１０１の幅方向における中央部付近において、装飾部材５の爪部５３が、フロントケース６の係止部６２と噛み合うことにより、第１筐体１０１の厚さ方向への装飾部材５の抜けを防止することができる。【選択図】図５
2009212982.tif 000002
【特許請求の範囲】
【請求項１】
第１のケース部材と、前記第１のケース部材と嵌合する第２のケース部材と、取付部材と、を有する携帯端末の取付部材嵌合構造であって、
前記第１のケース部材は、第１の係止部を有し、
前記第２のケース部材は、第２の係止部を有し、
前記取付部材は、前記第１の係止部と前記第２の係止部により前記第１のケース部材及び前記第２のケース部材に嵌合される
ことを特徴とする携帯端末の取付部材嵌合構造。
【請求項２】
前記取付部材は、弾性を有する素材により形成される
ことを特徴とする請求項１に記載の携帯端末の取付部材嵌合構造。
【請求項３】
前記取付部材は、第１の係合部と、第２の係合部と、を有し、
前記第１の係合部は、前記第１の係止部に係合され、
前記第２の係合部は、前記第２の係止部に係合される
ことを特徴とする請求項１または２に記載の携帯端末の取付部材嵌合構造。
【請求項４】
前記取付部材は、前記第１のケース部材及び前記第２のケース部材の辺縁部に配設される
ことを特徴とする請求項１から３のいずれか一項に記載の携帯端末の取付部材嵌合構造。
【請求項５】
第１のケース部材と、
前記第１のケース部材と嵌合する第２のケース部材と、
取付部材と、
を有し、
前記第１のケース部材は、第１の係止部を有し、
前記第２のケース部材は、第２の係止部を有し、
前記取付部材は、前記第１の係止部と前記第２の係止部により前記第１のケース部材及び前記第２のケース部材に嵌合される
ことを特徴とする携帯端末。
【発明の詳細な説明】
【技術分野】
【０００１】
本発明は、携帯端末の筐体に取り付ける取付部材の嵌合構造及び携帯端末に関する。
【背景技術】
【０００２】
近年では、携帯電話機やＰＨＳ（Personal Handy-phone System）等の携帯端末に装飾性が要求されるようになってきており、例えば色や質感が筐体の他の部位と異なる装飾部材を筐体に配設した携帯端末が普及している。
すなわち、このような携帯端末では、例えば、筐体の先端部、或いは、折り畳み式の携帯端末における折り畳み用のヒンジ機構付近の部位に、筐体の他の部位とは異なる色や質感を有する装飾部材を取り付けて構成することにより、筐体の装飾性やデザイン性を向上させている。
しかし、このような装飾性やデザイン性を向上させた携帯端末では、筐体に装飾部材が取り付けられて構成されているため、筐体の物理的強度が弱くなってしまうことがある、という不利益がある。
【０００３】
筐体の物理的強度を向上させる従来技術としては、例えば特許文献１に開示された技術がある。
特許文献１には、フロントケースの周縁部を構成するフロントケース側壁の内周側部位に突設されたフロントケースリブと、リアカバーの周縁部を構成するリアカバー側壁の内周側部位に凹設されたフロントケースリブ受けの天面から僅かに突出するリアカバーリブとが互いに突き当てられた状態で、フロントケースとリアカバーとが、互いに嵌合されて携帯電話機の筐体が形成されてなると共に、リアカバーリブの天面が、フロントケースリブを横滑りに対して係止する方向に傾斜している携帯電話機における筐体嵌合構造が開示されている。
【０００４】
【特許文献１】特開２００５−１２７３８号公報
【発明の開示】
【発明が解決しようとする課題】
【０００５】
特許文献１に開示された筐体嵌合構造は、フロントケ−スとリアケースにより筐体が構成され、装飾部材が考慮されていない構造である。筐体を構成するフロントケース或いはリアケースに装飾部材を配設する際には、装飾部材の大きさ及び構造がリアケース或いはフロントケースと大きく異なっているため、特許文献１に開示された筐体嵌合構造を適用することはできない。
【０００６】
従来、装飾部材を筐体に配設する際には、例えば、装飾部材を両面テープ等で筐体と接着するとともに、装飾部材に形成した突起部を筐体側に設けられた孔部に差し込んで固定する方法が採られていた。
図１に従来の装飾部材が携帯端末の筐体に固定される様子について示す。
図１（ａ）は、折り畳み式の携帯端末２００における、筐体２０１に装飾部材２０２が固定されている様子を示した斜視図である。図１（ａ）に示すように、筐体２０１の一部に装飾部材２０２が嵌め込まれて固定されている。
図１（ｂ）は、図１（ａ）の線Ａ−Ａ’における携帯端末２００の厚さ方向での断面図である。
図１（ｂ）に示すように、装飾部材２０２は、両面テープ２０３により筐体２０１に固定され、装飾部材２０２から延出された突起部２０４が、筐体２０１に形成された孔部２０５に嵌め込まれることにより装飾部材２０２が筐体２０１に固定されている。なお、両面テープで固定する方法の他に熱かしめにより固定する方法もある。
【０００７】
しかし、図１に例示した装飾部材の固定方法では、装飾部材が図１に示した例における装飾部材２０２より筐体に対して小さく、両面テープを介して筐体と接触する面積を十分に取れなくなるような場合には、装飾部材の筐体に対する接着力が弱くなってしまう、という不利益があった。
【０００８】
本発明は、上述した不利益を解消するため、装飾部材を取り付けても筐体全体の強度が低下しない携帯端末の取付部材嵌合構造及び携帯端末を提供することを目的とする。
【課題を解決するための手段】
【０００９】
上述した不利益を解消するために、第１のケース部材と、前記第１のケース部材と嵌合する第２のケース部材と、取付部材と、を有する携帯端末の取付部材嵌合構造であって、前記第１のケース部材は、第１の係止部を有し、前記第２のケース部材は、第２の係止部を有し、前記取付部材は、前記第１の係止部と前記第２の係止部により前記第１のケース部材及び前記第２のケース部材に嵌合される。
【００１０】
好適には、前記取付部材は、弾性を有する素材により形成される。
【００１１】
好適には、前記取付部材は、第１の係合部と、第２の係合部と、を有し、前記第１の係合部は、前記第１の係止部に係合され、前記第２の係合部は、前記第２の係止部に係合される。
【００１２】
好適には、前記取付部材は、前記第１のケース部材及び前記第２のケース部材の辺縁部に配設される。
【００１３】
第２の発明の携帯端末は、第１のケース部材と、前記第１のケース部材と嵌合する第２のケース部材と、取付部材と、を有し、前記第１のケース部材は、第１の係止部を有し、前記第２のケース部材は、第２の係止部を有し、前記取付部材は、前記第１の係止部と前記第２の係止部により前記第１のケース部材及び前記第２のケース部材に嵌合される。
【発明の効果】
【００１４】
本発明によれば、装飾部材を取り付けても筐体全体の強度が低下しない携帯端末の取付部材嵌合構造及び携帯端末を提供することができる。
【発明を実施するための最良の形態】
【００１５】
以下、本発明の実施形態の携帯端末１００について説明する。
図２は、携帯端末１００の外観の一例を示す図である。
図２（ａ）は携帯端末１００の開いた状態（開状態）を、図２（ｂ）は携帯端末１００の閉じた状態（閉状態）を示している。
図２（ａ）及び（ｂ）に示すように、携帯端末１００は表示装置１及びスピーカ２が設けられた第１筐体１０１と、操作部３及びマイク４が設けられた第２筐体１０２とを有する。
第１筐体１０１と第２筐体１０２とが連結・係合される部位がヒンジ部１０３であり、ヒンジ部１０３は第１筐体１０１と第２筐体１０２とを互いに回動可能にするヒンジ機構を内包している。ヒンジ部１０３により、第１筐体１０１及び第２筐体１０２は図２（ａ）に示す携帯端末１００の開状態と図２（ｂ）に示す携帯端末１００の閉状態とを遷移可能である。
なお、本実施形態では図２に示すように、携帯端末１００を折り畳み型の携帯電話機或いはＰＨＳであることを想定しているが、本発明はこれには限定されず、例えば他の形態（ストレート型、スライド型等）の携帯電話機（或いはＰＨＳ）や、ＰＤＡ等他の通信機器であってもよい。
【００１６】
図２（c）は、第１筐体１０１を側面から見た図である。
図２（ｂ）及び（ｃ）に示すように、第１筐体１０１は装飾部材５を有する。
装飾部材５は、携帯端末１００の装飾性及びデザイン性向上のために、第１筐体１０１の長さ方向におけるヒンジ部１０３と反対側の端部に取り付けられた外観部品である。
装飾部材５は、第１筐体１０１の他の部位とは異なる色・質感を有するように形成される。このため、装飾部材５と第１筐体１０１の他の部位とは異なる素材で形成されてもよい。
【００１７】
図３は、第１筐体１０１を構成するフロントケース６（本発明の第１のケース部材に対応）、リアケース７（本発明の第２のケース部材に対応）及び装飾部材５（本発明の取付部材に対応）を示した分解斜視図である。
図３に示すように、第１筐体１０１は、フロントケース６にリアケース７及び装飾部材５が順に積層されて構成されている。
図３に示すように、フロントケース６及びリアケース７は、装飾部材５を嵌合するための係止部６１及び係止部７１をそれぞれ有する。
フロントケース６の係止部６１は、図３に示すように、フロントケース６の長さ方向におけるヒンジ部１０３と反対側の端部において、幅方向両端付近に配設され、後述する装飾部材５の爪部５１と嵌合するように形成されている。
リアケース７の係止部７１も、フロントケース６の係止部６１と同様、リアケース７の長さ方向におけるヒンジ部１０３と反対側の端部において、幅方向両端付近に配設され、後述する装飾部材５の突出部５２と嵌合するように形成されている。
これらの係止部６１及び係止部７１は、図３に示すように、第１筐体１０１の長さ方向におけるヒンジ部１０３と反対側の端部における、幅方向両端部付近のほぼ重なる位置に配設されている。
【００１８】
次に、装飾部材５について説明する。
装飾部材５の拡大図を図４に示す。
図４に示すように、装飾部材５は、フロントケース６及びリアケース７に嵌合されるための構成として、爪部５１（本発明の第２の係合部に対応）、突出部５２（本発明の第１の係合部に対応）、爪部５３を有する。
爪部５１と突出部５２は、第１筐体１０１の幅方向において、両端部付近のほぼ同一の位置に配設されている。すなわち、装飾部材５は、第１筐体１０１の幅方向の両端部付近のほぼ同一の位置において、第１筐体の側面方向から見た場合、ほぼＦ字形状を有して形成されている。
爪部５１、突出部５２、爪部５３は、フロントケース６及びリアケース７に形成された後述する係止部と嵌合することにより、装飾部材５をフロントケース６及びリアケース７に確実に嵌合するための部材である。
なお、装飾部材５は、フロントケース６やリアケース７とは異なる色・質感を有して形成されており、携帯端末１００の装飾性及びデザイン性を向上させる役割を果たす。
【００１９】
次に、装飾部材５がフロントケース６及びリアケース７に対して嵌合される様子について説明する。
図５は、装飾部材５がフロントケース６及びリアケース７に対して嵌合される様子について説明するための図である。
図５（ａ）は、第１筐体１０１をフロントケース６側から見た図である。
図５（ｂ）は、図５（ａ）に示した線B−B’における第１筐体１０１の断面図である。
図５（ａ）に示すように、線B−B’は第１筐体１０１の幅方向における端部付近を通過する線であり、したがって、図５（ｂ）は第１筐体１０１の幅方向における端部付近の断面図である。
【００２０】
図５（ｂ）に示すように、フロントケース６は、第１筐体１０１の幅方向における端部付近に係止部６１を有する。また、図５（ｂ）に示すように、リアケース７は、第１筐体１０１の幅方向における端部付近に係止部７１を有する。
【００２１】
図５（ｂ）に示すように、リアケース７の係止部７１は、装飾部材５の爪部５１と係合するように配設されている。そして、図５（ｂ）に示すように、フロントケース６の係止部６１は、装飾部材５の爪部５１の逃げを防止するように配設されている。このため、係止部７１が爪部５１と噛み合い、係止部６１が爪部５１の逃げを防止することにより、第１筐体１０１の厚さ方向への装飾部材５の抜けを防止することができる。
そして、図５（ｂ）に示すように、突出部５２が係止部６１に係合されることにより、装飾部材５の抜け及び回転を防止することができる。
【００２２】
すなわち、図５（ｂ）に示すように、第１筐体１０１の幅方向における端部付近においては、装飾部材５の爪部５１がリアケース７の係止部７１と噛み合い、フロントケース６の係止部６１が爪部５１の逃げを防止することにより、第１筐体１０１の厚さ方向への装飾部材５の抜けを防止することができるとともに、突出部５２が係止部６１に係合されることにより、装飾部材５の抜け及び回転を防止することができる。このため、装飾部材５はフロントケース６及びリアケース７により構成される第１筐体１０１にしっかりと嵌合されることができる。
【００２３】
ここで、装飾部材５は、爪部５１によりリアケース７の係止部７１に噛み合うために、弾性を有する素材（樹脂等）で形成されることが好ましい。また、装飾部材５が弾性を有する素材で形成されることにより、装飾部材５が耐衝撃性を備えることになり、例えば、携帯端末１００の落下時等に装飾部材５に衝撃が加わっても、装飾部材５は弾性により衝撃を逃がし、装飾部材５が破損したり第１筐体１０１から外れたり、といった事態を生じにくくすることが可能である。
なお、上記説明では、説明の簡略化のために、図５（ｂ）においては、線Ｂ−Ｂ'での断面図を用いて、第１筐体１０１の幅方向における片側の端部付近に配設されたフロントケース６の係止部６１、リアケース７の係止部７１、装飾部材５の爪部５１及び突出部５２について説明したが、本実施形態においては、第１筐体１０１の幅方向における他方の端部にも、図５（ｂ）に示したフロントケース６の係止部６１、リアケース７の係止部７１、装飾部材５の爪部５１及び突出部５２と同様の構成を配設し、装飾部材５をフロントケース６及びリアケース７に嵌合するようにしてもよい。このようにすることにより、より強固に装飾部材５をフロントケース６及びリアケース７に嵌合することができる。
【００２４】
次に、第１筐体１０１の幅方向における中央部付近における装飾部材５のフロントケース６及びリアケース７に対する嵌合の様子について説明する。
図５（ｃ）は、図５（ａ）に示した線Ｂ−Ｂ’における第１筐体１０１の断面図である。
図５（ａ）に示すように、線Ｂ−Ｂ’は第１筐体１０１の幅方向における中央部付近を通過する線であり、したがって、図５（ｃ）は第１筐体１０１の幅方向における中央部付近の断面図である。
【００２５】
図５（c）に示すように、フロントケース６は、第１筐体１０１の幅方向における中央部付近に係止部６２を有する。
そして、装飾部材５の爪部５３が、フロントケース６の係止部６２と噛み合うことにより、第１筐体１０１の厚さ方向への装飾部材５の抜けを防止することができる。
【００２６】
以上説明したように、本実施形態の携帯端末１００によれば、第１筐体１０１の幅方向における端部付近において、装飾部材５の爪部５１がリアケース７の係止部７１と噛み合い、フロントケース６の係止部６１が爪部５１の逃げを防止することにより、第１筐体１０１の厚さ方向への装飾部材５の抜けを防止することができるとともに、突出部５２が係止部６１に係合されることにより、装飾部材５の抜け及び回転を防止することができる。これに加えて、第１筐体１０１の幅方向における中央部付近において、装飾部材５の爪部５３が、フロントケース６の係止部６１と噛み合うことにより、第１筐体１０１の厚さ方向への装飾部材５の抜けを防止することができる。したがって、第１筐体の幅方向における端部及び中央部において、装飾部材５がフロントケース６及びリアケース７に係止されるため、装飾部材５をフロントケース６及びリアケース７に対して確実に嵌合することができる。
また、本実施形態の携帯端末１００によれば、装飾部材５は弾性を有する素材により形成されているため、装飾部材５が耐衝撃性を備えることになり、例えば、携帯端末１００の落下時等に装飾部材５に衝撃が加わっても、装飾部材５は弾性により衝撃を逃がし、装飾部材５が破損したり第１筐体１０１から外れたり、といった事態を生じにくくすることができる。
また、上述した実施形態によれば、装飾部材５、フロントケース６、リアケース７のそれぞれが、第１筐体１０１の幅方向における、端部付近と中央部付近とで異なる構成を有し、端部付近では装飾部材５の爪部５１がリアケース７の係止部７１に、中央部付近では装飾部材５の爪部５３がフロントケース６の係止部６２に噛み合うことにより装飾部材５が第１筐体１０１に嵌合され、すなわち端部付近と中央部付近とで装飾部材５が係止されるケース部材が異なるため、装飾部材５が確実に第１筐体１０１に嵌合される。
【００２７】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
上述した実施形態では、図５（ｂ）及び（ｃ）に示すように、装飾部材５、フロントケース６、リアケース７のそれぞれが、第１筐体１０１の幅方向における、端部付近と中央部付近とで異なる構成を有し、端部付近では装飾部材５の爪部５１がリアケース７の係止部７１に、中央部付近では装飾部材５の爪部５３がフロントケース６の係止部６２に噛み合うとしたが、本発明はこれには限定されない。例えば、端部付近のみフロントケース及びリアケースに係止部が配設され、これにより装飾部材が嵌合され、中央部付近には係止部が配設されないようにすることも可能である。また、フロントケース及びリアケースの係止部、装飾部材の爪部及び突起部は、第１筐体の幅方向におけるほぼ同一の線上に位置していれば、端部付近に配設される必要はない。
【００２８】
また、上述した実施形態では、図３に示すように、係止部６１はフロントケース６の長さ方向におけるヒンジ部１０３と反対側の端部に、係止部７１はリアケース７の長さ方向におけるヒンジ部１０３と反対側の端部にそれぞれ配設されているとしたが、本発明はこれには限定されない。すなわち、例えば、係止部６１及び係止部７１は、それぞれフロントケース６及びリアケース７の幅方向における端部付近（例えば両端部）に配設されてもよい。すなわち、係止部６１及び係止部７１は、フロントケース６及びリアケース７の辺縁部付近に配設されればよい。
【図面の簡単な説明】
【００２９】
【図１】図１は、従来の装飾部材が携帯端末の筐体に固定される様子について示す図である。
【図２】図２は、本実施形態の携帯端末の外観の一例を示す図である。
【図３】図３は、第１筐体を構成するフロントケース、リアケース及び装飾部材を示した分解斜視図である。
【図４】図４は、装飾部材の拡大図である。
【図５】図５は、装飾部材がフロントケース及びリアケースに対して嵌合される様子について説明するための図である。
【符号の説明】
【００３０】
１…表示装置、２…スピーカ、３…操作部、４…マイク、５…装飾部材（取付部材）、６…フロントケース（第１のケース部材）、７…リアケース（第２のケース部材）、５１…爪部（第２の係合部）、５２…突出部（第１の係合部）、５３…爪部、６１…係止部（第１の係止部材）、６２…係止部、７１…係止部（第２の係止部材）、１００…携帯端末、１０１…第１筐体、１０２…第２筐体、１０３…ヒンジ部、２００…携帯端末、２０１…筐体、２０２…装飾部、２０３…両面テープ、２０４…突起部、２０５…孔部
【図１】
2009212982.tif 000003
【図２】
2009212982.tif 000004
【図３】
2009212982.tif 000005
【図４】
2009212982.tif 000006
【図５】
2009212982.tif 000007